(57)【要約】【課題】ＥＬ材料用配置部のスペースが狭く制約される場合に少しでも発光領域を拡大可能にして照明効果及び意匠性を向上する。【解決手段】光源であるＥＬ材料を物品側組込部１に配置し、その上に重ねられる透明ないしは半透明の保護カバー３、及びＥＬ材料の少なくとも幅方向の一方端縁部２０ｃ側を目視不能に覆っている遮蔽カバー４を備えた光源配置構造であって、ＥＬ材料は、幅方向の両端縁部２０ｂ，２０ｃを除く中間部２０ａである発光領域ａ1を遮蔽カバー４の内側空間内に入るよう延長し、かつ、前記一方端縁部側を発光領域から遮蔽カバー４の内面側に向けて折り曲げて屈曲端部２０ｃとした立体形の照明成形体に形成されている構成である。【選択図】図５
2014116496.tif 000002
【特許請求の範囲】
【請求項１】
光源であるエレクトロルミネセンス材料を物品側組込部に配置し、その上に重ねられる透明ないしは半透明の保護カバー、及び前記エレクトロルミネセンス材料の少なくとも幅方向の一方端縁部側を目視不能に覆っている遮蔽カバーを備えた光源配置構造であって、
前記エレクトロルミネセンス材料は、幅方向の両端縁部を除く中間部の発光領域を前記遮蔽カバーの内側空間内に入るよう延長し、かつ、前記一方端縁部を前記発光領域から前記遮蔽カバーの内面側に向けて折り曲げて屈曲端部とした立体形の照明成形体に形成されていることを特徴とする光源配置構造。
【請求項２】
前記物品側組込部に配設されるベースを有し、前記照明成形体を前記ベースと前記保護カバーとの間に挟持していることを特徴とする請求項１に記載の光源配置構造。
【請求項３】
前記物品側組込部又は前記ベースは、前記遮蔽カバーを係合する係止部を有していることを特徴とする請求項１又は２に記載の光源配置構造。
【請求項４】
前記遮蔽カバーは、前記物品側組込部又は前記ベースに組み付けられた状態で前記保護カバーを離脱不能に押さえることを特徴とする請求項１から３の何れかに記載の光源配置
構造。
【発明の詳細な説明】
【技術分野】
【０００１】
本発明は、光源としてエレクトロルミネセンス材料を用いた照明により暗闇でも目的物を認識できるようにする光源配置構造に関する。
【背景技術】
【０００２】
例えば、車室内では、室内灯とは別途に各種のプッシュボタンや操作用キーなどの操作部、或いはカップホルダーの容器挿入口などを光源により照明するようにしている。その光源としては嵩張りにくいものが好ましいことから、エレクトロルミネセンス材料の使用も検討されている。図１０はその一例として特許文献１に開示のものを示している。この構造では、内装装置であるカップホルダ１が容器５１を挿入する上面開口部１１を有し、光源３０としてエレクトロルミネセンス材料を用いて短冊状に形成されたものを上面開口部１１の開口周りの周壁面１３に沿って配置したものである。周壁面１３には、薄膜短冊状の光源３０が段差状に形成された設置部位１３ａに配置されている。光源３０は半透明の蓋部材２０により覆われている。符号４１は光源に接続されたコネクタ、４２はコネクタ４１から延びるリード線である。
【０００３】
また、技術的には、照明効果や意匠性などを上げるためエレクトロルミネセンス材料からなるＥＬシートないしは発光シートを立体形に成形したり（例えば、特開２００５−３０２３８７号公報）、透明性合成樹脂内に埋め込むようにした構成（例えば、特開平８−１３８４０１号公報）も知られている。
【先行技術文献】
【特許文献】
【０００４】
【特許文献１】特開２００５−３２９７５３号公報
【発明の概要】
【発明が解決しようとする課題】
【０００５】
図１１は上記したような従来技術を利用して車室内の操作用プッシュボタンやキー操作部をエレクトロルミネセンス材料で照明するため検討された光源配置構造を示し、本発明を適用した図４（ｂ）のＤ部に対応した箇所の断面図である。この構造では、光源としてエレクトロルミネセンス材料でドーナツ形状に形成された照明成形体２が用いられ、該照明成形体２をベース１に設けられた平坦状の配置部に配し、その上に重ねられる透明ないしは半透明の保護カバー３、及び照明成形体２の外縁部側を目視不能に覆っている遮蔽カバー４を備えている。
【０００６】
ここで、照明成形体２では、同図の断面形状において、中間部２ａが有効に照射される発光領域ａ、その内側である他方端縁部２ｂが裁断用のトリム領域ｂ、その外側である一方端縁部２ｃが電源配線つまりバスライン及びトリム領域ｃである。そして、ベース１上の限られた狭いスペースに照明成形体２を設置しなければならない場合は、バスライン及びトリム領域ｃが発光領域ａに比べ相対的に広くなり、その結果、筋状の照射状態となり易く、照明効果及び意匠性を発揮し難くなることが多い。
【０００７】
本発明は、上記したような課題を解決し、光源としてエレクトロルミネセンス材料の照明成形体を用いる構造において、配置部のスペースが狭く制約される場合に少しでも発光領域を拡大可能にして照明効果及び意匠性を向上することにある。
【課題を解決するための手段】
【０００８】
上記目的を達成するため請求項１の発明は、光源であるエレクトロルミネセンス材料を物品側組込部に配置し、その上に重ねられる透明ないしは半透明の保護カバー、及び前記エレクトロルミネセンス材料の少なくとも幅方向の一方端縁部側を目視不能に覆っている遮蔽カバーを備えた光源配置構造であって、前記エレクトロルミネセンス材料は、幅方向の両端縁部を除く中間部の発光領域を前記遮蔽カバーの内側空間内（第１形態では内面４３,４６で区画される内側空間、つまり図５の状態だと、上側内面４６及び内周囲側内面４３で区画される内空間を指す。第２形態では枠部９１の内側空間、つまり図９の状態だと、枠部９１の上側内面９５ａ及び内周囲側内面９５ｂで区画される内空間を指す）に入るよう延長し、かつ、前記一方端縁部を前記発光領域から前記遮蔽カバーの内面側に向けて折り曲げて屈曲端部とした立体形の照明成形体に形成されていることを特徴としている。
【０００９】
以上の本発明において、『幅方向の両端縁部』とは、例えば、照明成形体が第１形態のごとく概略リング形であれば図５に示した発光領域である幅方向の中間部２０ａを挟んだ内周側の端縁部２０ｂ、及び外周側の端縁部２０ｃを指す。また、照明成形体が第２形態のごとく概略矩形であれば図８（ｂ）及び図９に示した発光領域である幅方向の中間部７０ａを挟んだ左右側の端縁部７０ｂ，７０ｂを指す。更に、『幅方向の両端縁部』としては、例えば照明成形体が円盤状であればその外周縁部を含む広義な意味で使用している。『屈曲端部』は、例えば、図５の端縁部２０ｃのごとく発光領域ａ1から遮蔽カバー４の内面側のうち発光面から離れる内面上側に向けて折り曲げられたり、図９の端縁部７０ｂのごとく遮蔽カバー９の内面側のうち発光面から離れる内面に近づく方向に折り曲げられることが好ましい。
【００１０】
エレクトロルミネセンス材料（以下、ＥＬ材料と略称することもある）は、蛍光体に電界を加えると発光する現象を利用したもので薄くて軽い低消費電力に優れた光源として知られている。蛍光体である発光層は、低分子のものを用いた無機材料からなる無機ＥＬと、ポリマー状の高分子のものを用いた有機材料からなる有機ＥＬとの何れであってもよい。ＥＬ材料は、適用装置や適用箇所（例えば、第１形態のごとく車室内に装備される各種のプッシュボタンや操作キーの周囲、第２形態のごとく支持用ブラケットや支持用取付具の正面など）に配置される立体形の照明成形体に形成される。光源を点灯したり消灯する制御回路ないしはコントローラは、特許文献１と同様か適宜に設計される。
【００１１】
以上の発明においては次のように具体化されることがより好ましい。すなわち、
（ア）前記物品側組込部に配設されるベースを有し、前記照明成形体を前記ベースと前記保護カバーとの間に挟持している構成である（請求項２）。
（イ）前記物品側組込部又は前記ベースは、前記遮蔽カバーを係合する係止部を有している構成である（請求項２）。
（ウ）前記遮蔽カバーは、前記物品側組込部又は前記ベースに組み付けられた状態で前記保護カバーを離脱不能に押さえる構成である（請求項３）。
【発明の効果】
【００１２】
請求項１の発明では、光源配置構造として、エレクトロルミネセンス材料で形成された照明成形体が透明ないしは半透明の保護カバーで覆われ、かつ、照明成形体の少なくとも幅方向の一方端縁部側を目視不能に覆っている遮蔽カバーを有しているため意匠性ないしは見栄えを良好に維持できる。その上で、本発明では、例えば図１１と図５との比較から分かるように、非発光部である両端縁部を除く中間部の発光領域を遮蔽カバーの内側空間内に入るよう延長し、かつ、少なくとも一方の端縁部を発光領域から遮蔽カバーの内面側に向けて折り曲げて屈曲端部としたため、意匠性を損なうことなく限られた配置部のスペースとして発光領域をより広く確保でき、それにより配置部のスペースが制約される場合でも筋状から帯状の照射状態を得られるようにし、照明効果を充分に発揮できる。
【００１３】
請求項２の発明では、物品側組込部に配設されるベースを有しているため、形態例に示されるごとくベース、照明成形体、保護カバー、遮蔽カバーとで光源組立体つまり取扱性に優れたユニット品として提供できる。なお、このベースとしては、物品側組込部つまり照明成形体を配置する物品側にベース対応部を直に形成することも可能である。請求項１の発明はそのような構成も含まれるよう特定している。
【００１４】
請求項３の発明では、遮蔽カバーが物品側組込部又はベースの係止部に係合されて装着されるため組立操作性に優れている。また、請求項４の発明では、遮蔽カバーが物品側組込部又はベースに組み付けられた状態で保護カバーを離脱不能に押さえるため組立構造の簡略化が図られる。
【図面の簡単な説明】
【００１５】
【図１】本発明の第１形態の使用例であり、（ａ）は光源組立体の上面図、（ｂ）は（ａ）のＡ矢印方向より見た図、（ｃ）は（ａ）のＢ1−Ｂ1線模式断面図である。
【図２】（ａ）は上記光源組立体を示す概略斜視図、（ｂ）は前記光源組立体を構成しているベースに照明成形体を配置した状態で示す概略斜視図である。
【図３】（ａ）は上記光源組立体を分解して示す構成図である。
【図４】（ａ）は図２（ａ）のＣ−Ｃ線模式断面図、（ｂ）は図２（ａ）のＢ−Ｂ線模式断面図である。
【図５】（ａ）は図４（ｂ）のＤ部拡大図、（ｂ）は図２（ｂ）の状態において図４のＤ部に相当する箇所の拡大図である。
【図６】本発明の第２形態の使用例であり、（ａ）は光源組立体（としての支持用ブラケット）の正面図、（ｂ）は（ａ）の側面図である。
【図７】（ａ）は図６の光源組立体を示す概略分解斜視図、（ｂ）は前記光源組立体を構成している本体及びベースに照明成形体を配置した状態で示す説明用斜視図である。
【図８】（ａ）は図６（ａ）のＥ−Ｅ線模式断面図、（ｂ）は本体側取付部を省いた状態で示す図６（ａ）のＦ−Ｆ線模式断面図である。
【図９】（ａ）は図８（ｂ）のＧ部拡大図、（ｂ）はその状態から遮蔽カバーを省いた状態での拡大図である。
【図１０】特許文献１の要部を示す一部を拡大した図である。
【図１１】従来の光源配置構造例を示す説明図である。
【発明を実施するための最良の形態】
【００１６】
以下、本発明の最適な形態を図面を参照しながら説明する。この説明では、図１〜図５に示した第１形態の光源配置構造及びその作用特徴、図６〜図９に示した第２形態の光源配置構造及びその作用特徴の順に詳述する。
【００１７】
（第１形態の構造）図１は、第１形態の光源配置構造として、車両に設けられるスイッチなどとして構成されるプッシュボタンＭの周囲部を照明する構成に適用した例である。この光源配置構造は、ＥＬ材料で形成された照明成形体２を物品側組込部に直接又は取付用ベース１を介して配置し、その上に重ねられる透明ないしは半透明の保護カバー３、及び照明成形体２の幅方向の一方端縁部側を目視不能に覆っている遮蔽カバー４を備えている。なお、この形態では、ベース１、照明成形体２、保護カバー３、遮蔽カバー４を備えているが、物品側組込部にベース１に相当する箇所を形成してベース１を省くことも可能である。
【００１８】
ここで、ベース１は、図３から図５に示されるごとく、物品側組込部であるパネルＰの穴部７０ａに装着される略リング状であり、上面１０側に形成された照明成形体２を受け止める配置部及び保護カバー３と当接する当接部１４と、周囲のうち複数の係合突起１５を突設している上側周囲１１及び上側周囲１１より下側の段差１２ａ並びに段差１２ａから内周１３までの間を形成してパネル側穴部Ｐ1に嵌合し装着される下側傾斜周囲１２ｂと、プッシュボタンＭの操作部を出没可能に挿通する内周１３とを有している。
【００１９】
このうち、上面１０の配置部は、幅方向の中間部が平坦状に形成され、それより内周（幅方向の他方端縁部）側が下向きの緩い傾斜ないしは湾曲面１０ｂに形成され、外周（幅方向の一方端縁部）側が遮蔽カバー４の上部側である斜めに立ち上がった湾曲面１０ａに形成されている。中間部の幅寸法ａ1は、湾曲面１０ｂの幅寸法ｂ及び湾曲面１０ａの幅寸法１０ｃより広くなっている。これらは、図７と比べると、特に幅寸法ａ1が図７の幅寸法ａよりもかなり広く設定され、幅寸法ｂ1及びｃ1が図７の幅寸法ｂ及びｃとほぼ同じ広さに設定されている。
【００２０】
また、ベース１には、支持片部１６が上面１０の一部から下向きに垂設されている。この支持片部１６は、外面の下両側に対向して設けられた取付部１７を有している。各取付部１７の外面には係合爪１８が設けられている。そして、支持片部１６にはキャップ２５が装着される。このキャップ２５は上面２６及び正面２７並びに両側面２８で区画されている。各側面２８には、内側に突出された二段の横片部２９ａ，２９ｂと、横片部２９ａ，２９ｂの間を開口した係止穴２８ａとが設けられている。そして、キャップ２５は、取付部１７が横片部２９ａ，２９ｂの間に嵌合され、かつ、係合爪１８が係止穴２８ａに係合されることにより、支持片部１６に対し装着される。
【００２１】
照明成形体２は、ＥＬ材料により配置部１０に対応した概略円状の立体形に形成されていると共に、一部に接続部２１を介して設けられた端子用支持部２２を一体に有している。また、この照明成形体２は、幅方向の中間部２０ａが有効に照射される発光領域ａ1と、その内側端部ないしは他方端縁部２０ｂである裁断用のトリム領域ｂ1と、外側端部ないしは一方端縁部２０ｃであるバスライン（電源配線）及びトリム領域ｃ1とからなる。
【００２２】
そして、以上の照明成形体２は、図１１に比べて、発光面の面直方向から見て、発光領域ａ1が幅方向として遮蔽カバー４のほぼ真下付近ないしは遮蔽カバー４の内側空間内まで伸ばされている。同時に、一方端縁部２０ｃつまりバスライン及びトリム領域ｃ1は、湾曲面１０ａに対応して遮蔽カバー４の内面側、つまり図５の例だと保護カバー３の上側段差３１ａと嵌合している箇所を除き、かつ、係合凹部４４を形成している内面４３側に向けて折り曲げられた屈曲端部となっている。このようなバスライン及びトリム領域ｃ1の折り曲げ方向としては、図５のごとく上側か、斜め上側にすると上方から目視し難くなるため好ましいが、内面４３,４６で区画される内空間に収まっていれば斜め下側に向けて折り曲げられている態様でもよい。これに対し、他方端縁部２０ｂつまりトリム領域ｃ1は、湾曲面１０ｂに対応して下方側に向けて緩い屈曲端部となっている。
【００２３】
支持部２２には複数の端子２３が接合されている。各端子２３は、不図示の制御基盤に電気的に接続されて車体に装備された電源から所定の電力ないしは電圧を照明成形体２に供給可能にする。この点については、特許文献１ないしは他の特許文献に記載されている回路及び制御系、それに類似の公知の技術が採用される。
【００２４】
保護カバー３は、透明ないしは半透明のアクリル樹脂などにより形成されており、図５（ａ）に示されるごとく照明成形体２とほぼ類似形となっている。つまり、上面３０は平面状である。外側周囲３１は、上面３０の一部を欠如した上側段差３１ａを形成している。下面３２は、発光領域ａ1である照明成形体の中間部２０ａ及び一方端縁部２０ｃの一部（立ち上げ基部側）を覆うと共に、他方端縁部２０ｂを覆う緩い湾曲面３２ａを有している。内周３３は、上面３０から下側途中までが下斜めに大きく傾斜したテーパー３３ａに形成されると共に、下側がベース側当接部１４に当接される形状となっている。
【００２５】
遮蔽カバー４は、例えばベース１と同系ないしは異なる非透明な樹脂製であり、上面４０、外側周囲４１、下面４２、係合凹部４４を形成している内周囲側内面４３及び内上側内面４６で区画され、縦断面で略逆Ｌ形となっている。この遮蔽カバー４において、逆Ｌ形の水平部は、保護カバー３の上側段差３１ａに嵌合した状態で照明成形体２の屈曲端部である一方端縁部２０ｃを覆う。逆Ｌ形の垂直部は、照明成形体の接続部２１を逃がす切欠部４５を有し、ベースの上側周囲１１及び照明成形体の一方端縁部２０ｃの端面を外側より覆う。つまり、遮蔽カバー４は、不要部を目視不能に覆うことにより意匠性を向上すると共に、照明成形体２の発光領域を制限する。なお、本発明の『前記遮蔽カバーの内側空間内』は、内面４３,４６の内側空間、つまり図５の状態だと、上側内面４６の内周で区画される内空間の意味である。
【００２６】
以上の各部材は次のような操作により光源組立体Ｒとして作成される。まず、照明形成体２は、ベース１の配置部である上面１０に対して図２及び図５の各（ｂ）に示されるごとく配置される。すなわち、中間部２０ａは上面１０の平坦面に配置され、屈曲端部である一方端縁部２０ｃは湾曲部１０ａに配置され、他方端縁部２０ｂが湾曲部１０ｂに配置される。なお、ベースの支持片部１６には上記したようにキャップ２５が装着される。
【００２７】
次に、その状態から、保護カバー３を照明成形体２の上に載せる。その際、保護カバー３は、下面３２が中間部２０ａ及び一方端縁部２０ｃの一部（立ち上げ基部側）を覆うと共に、湾曲面３２ａで他方端縁部２０ｂを覆うように位置出しされる。その後、遮蔽カバー４が図２及び図５の各（ａ）に示されるごとく保護カバー３側に押し付けられる。すると、遮蔽カバー４は、係合凹部４４がベース側の係合突起１５に係合してベース１に装着される。この装着状態では、遮蔽カバー４の水平部が保護カバーの段差３１ａに係合し、かつ、保護カバー３が遮蔽カバー４とベース１との間に挟持した態様、つまり保護カバー３により離脱不能に押さえ付ける。
【００２８】
（作用特徴）以上の光源配置構造ないしは光源組立体Ｒは図１１の構造に比べ以下のような利点を有している。
（１）この構造では、ＥＬ材料で形成された照明成形体２が透明ないしは半透明の保護カバー３で覆われている構成と、照明成形体２の幅方向の一方端縁部２０ｃ側を目視不能に覆っている遮蔽カバー４を有している構成とから、意匠性ないしは見栄えを良好に維持できる。
【００２９】
（２）この構造では、図１１と図５（ａ）との比較から明かなごとく、照明成形体２が面直方向から見て幅方向の中間部２０ａの発光領域ａ1を遮蔽カバー４の内側空間まで延ばされている構成と、幅方向の両端縁部２０ｂ，２０のうち、少なくとも一方端縁部２０ｃを発光領域ａ1から遮蔽カバー４の内面側に向けて折り曲げて屈曲端部としたため、意匠性を損ねたり犠牲にすることなく限られた配置部スペースとして発光領域（ａ1＞ａ）をより広く確保できる。このため、この構造では、配置部のスペースが制約される場合でも、発光領域を拡大して筋状から帯状の照射状態を得られるようにし、照明効果を充分に発揮できる。
【００３０】
（３）この構造では、ベース１を物品側組込部に形成してもよいが、ベース１、照明成形体２、保護カバー３、遮蔽カバー４により光源組立体Ｒないしはそのユニット品として提供されることにより、取扱性及び物品側への組込性を向上できる。
（４）この構造では、遮蔽カバー４がベース１に対して係止突起１５と係合凹部４４との係合により装着される構成と、保護カバー３が遮蔽カバー４をベース１に装着した状態で離脱不能となる構成とにより、組立構造の簡略化及び組立操作性に優れている。
【００３１】
（第２形態の構造）図６は、第２形態の光源配置構造として、家庭や介護施設などで使用される棒状の手すりＨを保持する支持用ブラケットに適用した例である。この光源配置構造は、ＥＬ材料で形成された照明成形体７をブラケット用本体５に直接又は取付用ベース６を介して配置し、その上に重ねられる透明ないしは半透明の保護カバー８、及び照明成形体７の幅方向の両端縁部７０ｂ側を目視不能に覆っている遮蔽カバー９を備えている。なお、第２形態では、本体５、ベース６、照明成形体７、保護カバー８、遮蔽カバー９を備えているが、本体５にベース６に相当する箇所を形成するようにしてもよい。
【００３２】
ここで、本体５は、図７及び図８に示されるごとく、アーム形の保持部５０及び取付部５５とからなると共に、取付部５５に後付けされるカバー５８を備えている。保持部５０は、外面側に形成された断面凸形の配置部５１と、先端部５３に設けられて手すりＨ側の取付部を嵌合支持する凹状の受溝５４と、先端部５３の中央部に設けられて受溝５４を串差し状に貫通している貫通孔５３ａ，５３ｂとを有している。そして、図６の手すりＨは、手すりの周囲に装着された金具の差込部が受溝５４に嵌入され、図８（ａ）のごとく一方の貫通孔５３ａから前記金具の差込部に設けられた貫通孔に挿通される雌型止め具Ｓと、もう一方の貫通孔５３ｂから雌型止め具Ｓの内径に螺入される雄型止め具Ｓ1とで抜け止め係止されることで、保持部５０に対し固定保持される。その際いは、本体５に対しベース６、照明成形体７、保護カバー８、遮蔽カバー９が予め組み込まれる。
【００３３】
また、取付部５５は、概略円板状をなし、保持部５０の基端５２に略垂直に一体化されている。取付部５５には、両側部分を薄くした段差部５６と、複数の取付孔５６ａと、背面側の係合部５６ｂ及び配線配置用空間５５ａと、下側の切欠部５７とが設けられている。そして、以上の支持用ブラケットは、取付部５５が手すりＨを配置する壁面に対し、不図示のねじ等を取付孔５６ａから壁面に螺入することで装着される。その後、取付部５５はカバー５８により装飾処理される。カバー５８は、基端５２等を逃がす逃溝５９と、背面側内周に設けられた複数の凸部５８ａとを有し、凸部５８ａが係合部５６ｂに係合されることにより取付部５５に装着される。
【００３４】
ベース６は、図７及び図８に示されるごとく概略片形状であり、本体側配置部５１に配置される。形状的には、幅方向の中間部を形成しているメイン部６０ａ及びメイン部６０ａの両側端部６０ｂからなると共に、切欠部５７に挿入される下端部６２と、先端部５３に重ねられる貫通孔６３ａ付きの先端部６３とを有している。両側端部６０ｂは、図８（ｂ）のごとく水平部及びその先端から立ち上がった起立部からなる。メイン部６０ａ及び両側端部６０ｂの水平部には照明成形体７が配置される。符号６１は配置部５１の凸形に沿って配置されるベース６の下面である。
【００３５】
照明成形体７は、図７から図９に示されるごとく、ＥＬ材料によりベース６のメイン部６０ａ及び両側端部６０ｂに対応した概略片状に形成されている。下端部７２は、接続部７４を介して設けられた複数の端子７５を有している。先端部７３は、湾曲されており、ベース６の先端部６３の手前側の段差部に配置される。また、この照明成形体７は、幅方向の中間部７０ａが有効に照射される発光領域ａ2であり、中間部７０ａの両端縁部７０ｂ，７０ｂの両方がバスライン（電源配線）及び裁断用トリム領域ｂ2又はｃ2となっている。よって、この例ではｂ2とｃ2とは同じ長さである。
【００３６】
以上の照明成形体７は、図１１に比べて、中間部７０ａないしは発光領域ａ2が幅方向として遮蔽カバー９の内側空間内まで伸ばされている。同時に、両端縁部７０ｂ，７０ｂつまりバスライン（電源配線）及び裁断用トリム領域ｂ2，ｃ2は、遮蔽カバー９の内面側に向けて折り曲げられた屈曲端部となっている。このような両端縁部７０ｂ，７０ｂの折り曲げ方向としては、図９（ａ）のごとく遮蔽カバー９の内面側により近づけると、発光面の面直方向から見て、目視し難くなるため好ましい態様となる。
【００３７】
接続部７４には複数の端子７５が接合されている。各端子７５は、不図示の制御基盤にハーネス７６等を介して電気的に接続されて電源から所定の電力ないしは電圧を照明成形体７に供給可能にする。この点については、特許文献１ないしは他の特許文献に記載されている回路及び制御系、それに類似の公知の技術が採用される。
【００３８】
保護カバー８は、透明ないしは半透明のアクリル樹脂などにより形成されており、図８及び図９に示されるごとく照明成形体７とほぼ類似形となっている。つまり、保護カバー８は、中間部７０ａを覆う中間部８０ａと、両側の各端縁部７０ｂ，７０ｂを覆う両端部８０ｂ、下端部７２を覆う下端部８２と、先端部７３を覆う先端部８３を一体に形成している。なお、内面８１は照明成形体７の対応部に良好に当接するよう形成されている。
【００３９】
遮蔽カバー９は、例えばベース６と同系ないしは異なる非透明な樹脂製であり、概略細長い窓９０を区画している枠部９１と下端部９２及び先端部９３を一体に有している。
枠部９１は、照明成形体７のうち、下端部７２及び先端部７３を除く中間部７０ａを窓９０に露出する。なお、本発明の『前記遮蔽カバーの内側空間内』は、枠部９１の内側空間、つまり図９の状態だと、枠部９１の内周で区画される内空間を指す。下端部９２は、内側から突出した係止片９４を有し、係止片９４が本体側取付部の切欠部５７の対応部に係合した状態で、保護カバー８の下端部８２、照明成形体の接続部７４などを覆う。先端部９３は、本体５の先端部５３に対しベースの先端部６３を配置しその上に重ね、かつ、上記した雌型止め具Ｓ及び雄型止め具Ｓ1の螺合により固定された状態で、先端部６３などを覆う。つまり、遮蔽カバー９は、不要部を目視不能に覆うことにより意匠性を向上すると共に、照明成形体７の発光領域を制限する。
【００４０】
以上の各部材は次のような操作により光源組立体Ｒ1として作成される。まず、照明形成体７は、本体保持部５０に配置されるベース６に対し図７（ｂ）及び図８に示されるごとく、中間部７０ａがメイン部６０ａに配置され、屈曲端部である各端縁部７０ｂが対応する側端部６０ｂに配置される。その際には、接続部７４及び端子７５が取付部５５の切欠部５７側に挿入される。
【００４１】
次に、その状態から、保護カバー８を照明成形体６の上に載せる。保護カバー８は、下面８１が中間部７０ａ及び両端縁部７０ｂの一部を覆う。その後、遮蔽カバー９が図６及び図９（ａ）に示されるごとく保護カバー８側に押し付けられる。すると、遮蔽カバー９は、図８のごとく先端部９３がベース側先端部６３に重ねられ、かつ、下端部９２の係止片９４が切欠部５７の対応部に係合される。先端部９３は、上記雌型止め具Ｓを貫通孔５３ａに嵌合配置し、雄型止め具Ｓ1を遮蔽カバー及びベースの各取付孔９３ａ，６３ａから貫通孔５３ｂを通って雌型止め具Ｓに螺合することにより固定される。
【００４２】
（作用特徴）以上の光源配置構造ないしは光源組立体Ｒ1は図１１の構造に比べ以下のような利点を有している。
（１）この構造では、ＥＬ材料で形成された照明成形体７が透明ないしは半透明の保護カバー８で覆われている構成と、照明成形体７の幅方向の端縁部７０ｂと上端部７３及び下端部７２側を目視不能に覆っている遮蔽カバー９を有している構成とから、意匠性ないしは見栄えを良好に維持できる。
【００４３】
（２）この構造では、図１１と図９（ａ）との比較から明かなごとく、照明成形体７が幅方向の中間部７０ａの発光領域ａ2を遮蔽カバー９の内側空間内まで延ばした構成と、幅方向の両端縁部７０ｂを発光領域ａ2から遮蔽カバー９の内面側に向けて折り曲げて屈曲端部としたため、意匠性を損ねたり擬制にすることなく限られた配置部スペースとして発光領域（ａ2＞ａ）をより広く確保できる。このため、この構造では、第１形態と同じく配置部のスペースが制約される場合でも、発光領域ａ2を拡大して筋状から帯状の照射状態を得られるようにし、照明効果を充分に発揮できる。
【００４４】
（３）この構造では、ベース６を物品側組込部、つまり本体５の保持部対応部に形成して省略してもよいが、ベース６、照明成形体７、保護カバー８、遮蔽カバー９により光源組立体Ｒ1ないしはそのユニット品（支持用ブラケットなど）として提供されることにより、取扱性及び物品側への組込性を向上できる。
（４）この構造では、遮蔽カバー９が本体５（ベース６でもよい）に対して係止片９４を介して係合される構成などにより、組立構造の簡略化及び組立操作性に優れている。
【００４５】
尚、本発明は、以上の形態に制約されることなく、請求項で特定される構成を実質的に備えておればよく、細部は必要に応じて種々変更可能なものである。具体例としては、パネルや本体側にベース対応部を形成することである。
【符号の説明】
【００４６】
１…ベース（物品側組込部に相当、１０は上面、１２は下面、１３は内周）
２…照明成形体（２１は接続部、２２は支持部、２３は端子）
３…保護カバー（３０は上面、３２は下面３３、３３は内周）
４…遮蔽カバー（４０は上面、４３,４６は内面、４４は係合凹部）
５…本体（５０は保持部、５１は配置部、５５は取付部）
６…ベース（物品側組込部に相当、６０ａはメイン部、６０ｂは側端部）
７…照明成形体（７２は下端部、７３は先端部、７４は接続部、７５は端子）
８…保護カバー（８０ａは中間部、８０ｂは端部、８２は下端部、８３は先端部）
９…遮蔽カバー（９０は枠部、９１は窓、９２は下端部、９３は上端部）
１５…係止突起（係止部）
１６…支持片部（１７は取付部、１８は係合爪）
２０ａ，７０ａ…中間部
２０ｂ，２０ｃ、７０ｂ…端縁部
２５…キャップ（２８ａは係止穴）
５８…カバー（５８ａは係合爪）
Ｒ，Ｒ1…光源組立体
Ｐ…パネル（取付用穴部Ｐ1）
Ｍ…プッシュボタン
Ｈ…手すり
ａ，ａ1，ａ2…発光領域
ｂ，ｂ1…トリム領域
ｃ，ｃ1，ｃ2…バスライン及びトリム領域
ｂ2…バスライン及びトリム領域
【図１】
2014116496.tif 000003
【図２】
2014116496.tif 000004
【図３】
2014116496.tif 000005
【図４】
2014116496.tif 000006
【図５】
2014116496.tif 000007
【図６】
2014116496.tif 000008
【図７】
2014116496.tif 000009
【図８】
2014116496.tif 000010
【図９】
2014116496.tif 000011
【図１０】
2014116496.tif 000012
【図１１】
2014116496.tif 000013